(57)【要約】【課題】配管の自由度を高めることが可能となり、現場における施工性の向上を図ることができる。【解決手段】横引き管４の端部が内側に差し込まれる挿入口１３が形成可能な筒状の横引き差し外周壁１０ａを有するマス本体部１０と、マス本体部１０の上端１ａ側に立上り管を接続する立上り管受口１１と、マス本体部１０の下端１ｂ側に設けられた筒状の泥溜め部１２と、を有し、泥溜め部１２は、マス本体部１０よりも小径に形成され、マス本体部１０は、横引き差し外周壁１０ａから立上り管受口１１及び泥溜め部１２のそれぞれに接続する連設部１０ｂを備えている構成の雨水マスを提供する。【選択図】図４
2019007339.tif 000002
【特許請求の範囲】
【請求項１】
建物の竪樋から地中に埋設される横引き管に接続される雨水マスであって、
前記横引き管の端部が内側に差し込まれる挿入口が形成可能な筒状の横引き差し外周壁を有するマス本体部と、
前記マス本体部の上端に立上り管を接続する立上り管受口と、
前記マス本体部の下端に設けられた筒状の泥溜め部と、
を有し、
上面視で前記泥溜め部の面積は、前記マス本体部の面積よりも小さく形成され、
前記マス本体部は、前記横引き差し外周壁から前記立上り管受口及び前記泥溜め部のそれぞれに接続する連設部を備えていることを特徴とする雨水マス。
【請求項２】
前記泥溜め部の外径は１８０ｍｍ以下に設定されていることを特徴とする請求項１に記載の雨水マス。
【請求項３】
前記横引き差し外周壁は、円筒状に形成され、外径が３３０ｍｍ以下に設定されていることを特徴とする請求項２に記載の雨水マス。
【請求項４】
前記横引き差し外周壁には、前記挿入口の形成位置を示す基準線が表示されていることを特徴とする請求項１乃至３のいずれか１項に記載の雨水マス。
【請求項５】
請求項１乃至４のいずれか１項に記載の雨水マスに前記横引き管を接続する雨水マスの施工方法であって、
前記マス本体部の前記横引き差し外周壁の任意の位置において、開孔手段を用いて前記横引き差し外周壁を貫通させて所定の外径の前記挿入口を形成する工程と、
前記挿入口に前記横引き管を前記マス本体部の内側まで差し込む工程と、
を有することを特徴とする雨水マスの施工方法。
【請求項６】
前記横引き管は、該横引き管の差し込み端が前記泥溜め部の上端開口縁より径方向の外側に位置するように前記挿入口に差し込まれることを特徴とする請求項５に記載の雨水マスの施工方法。
【発明の詳細な説明】
【技術分野】
【０００１】
本発明は、雨水マス、及び雨水マスの施工方法に関する。
【背景技術】
【０００２】
従来、住宅等の建物の竪樋では、例えば特許文献１に示されるように、地中内に配管された横引き管に接続される雨水マスが知られている。このような雨水マスとして、一般的にポリプロピレン（ＰＰ）製のタメマスや、ポリ塩化ビニル（ＰＶＣ）製で横引き管の流入口（受口）が周方向で所定角度の位置に設けられた構成のものがある。
【先行技術文献】
【特許文献】
【０００３】
【特許文献１】特開２０１６−１９４２１４号公報
【発明の概要】
【発明が解決しようとする課題】
【０００４】
しかしながら、上述した従来の雨水マスでは、以下のような問題があった。
すなわち、ポリプロピレン製の雨水マス（タメマス）は、製造上の理由により全体形状が大きくなってしまう。このように大型の雨水マスの場合には、狭所地の住宅における施工時に雨水マス自体が大きく取り扱い難いうえ、接続される配管との取り合い等で施工が困難になるという問題があった。
また、ポリ塩化ビニル製の雨水マスでは、横引き管の差込み口（受口）が周方向で決まった角度の位置に設けられている。つまり、現場のスペースや配置に合わせた位置に差込み口が設けられていないので、施工時に雨水マスに対する横引き管の差し込みが困難になるおそれがあった。
【０００５】
そこで、本発明は、上記問題点に鑑みてなされたもので、配管の自由度を高めることが可能となり、現場における施工性の向上を図ることができる雨水マス、及び雨水マスの施工方法を提供することを目的としている。
【課題を解決するための手段】
【０００６】
上記目的を達成するため、本発明に係る雨水マスは、建物の竪樋から地中に埋設される横引き管に接続される雨水マスであって、前記横引き管の端部が内側に差し込まれる挿入口が形成可能な筒状の横引き差し外周壁を有するマス本体部と、前記マス本体部の上端に立上り管を接続する立上り管受口と、前記マス本体部の下端に設けられた筒状の泥溜め部と、を有し、上面視で前記泥溜め部の面積は、前記マス本体部の面積よりも小さく形成され、前記マス本体部は、前記横引き差し外周壁から前記立上り管受口及び前記泥溜め部のそれぞれに接続する連設部を備えていることを特徴としている。
【０００７】
また、本発明に係る雨水マスの施工方法は、上述した雨水マスに前記横引き管を接続する雨水マスの施工方法であって、前記マス本体部の前記横引き差し外周壁の任意の位置において、開孔手段を用いて前記横引き差し外周壁を貫通させて所定の外径の前記挿入口を形成する工程と、前記挿入口に前記横引き管を前記マス本体部の内側まで差し込む工程と、を有することを特徴としている。
【０００８】
本発明では、泥溜め部の外径が横引き管の端部が差し込まれて挿入されるマス本体部の外径よりも小さくなるので、雨水マス全体の形状を小型にすることができる。つまり、本発明の雨水マスでは、雨水マスにおけるマス本体部の下方で泥溜め部の径方向外側にスペースが形成されるので、住宅などで雨水用の排水管と室内から生じる汚水用の排水管が別系統で地中に配設される場合に、前記スペースに汚水用の排水管を寄せて配置することが可能となる。そのため、雨水用の排水管と汚水用の排水管との距離を近接させることができ、狭所地の住宅において効率よく配管を設置することができる。
【０００９】
また、本発明では、マス本体部の横引き差し外周壁の任意の位置に開孔手段を用いて所定の外径の挿入口を形成することができ、その挿入口に横引き管をマス本体部の内側まで差し込み接続することができる。このように横引き管の流出入角度を施工現場で自由に設定することができる。そのため、横引き管の流出入角度が決まった位置に横引き管の受口が設けられた形状の従来の雨水マスのように、横引き管の流出入角度を調整したり、雨水マスの受口の位置が間違った形状のものを搬入してしまう等の不具合がなくなり、配管の自由度を高めることができ、現場における施工性の向上を図ることができる。
【００１０】
しかも、本発明では、横引き管をマス本体部の外径が泥溜め部の外径よりも大きく形成され、マス本体部内の外周部分に横引き差し外周壁に差し込まれる横引き管の差し込み端部の差し込み長を確保できる。そのため、横引き管の差し込みによる接続を確実に行うことができるとともに、差し込まれた横引き管の差し込み端部がマス軸方向で泥溜め部の開口に重なることのない構造とすることが可能となる。これにより、泥溜め部内を清掃するためのバスケット等を差し込まれた横引き管に干渉させずに泥溜め部内に挿入することができる。
【００１１】
また、本発明に係る雨水マスは、前記泥溜め部の外径は１８０ｍｍ以下に設定されていることが好ましい。
【００１２】
この場合には、泥溜め部の外径を１８０ｍｍ以下の小断面の部材を構成することができ、雨水マスを確実に小型化することができる。
【００１３】
また、本発明に係る雨水マスは、前記横引き差し外周壁は、円筒状に形成され、外径が３３０ｍｍ以下に設定されていることが好ましい。
【００１４】
本発明に係る雨水マスでは、マス本体部の外径を抑えつつ、例えば標準的に用いられる呼び径φ１００（外径１１４ｍｍ）の複数の横引き管を横引き差し外周壁に差し込むことが可能な形状となる。
【００１５】
また、本発明に係る雨水マスは、前記横引き差し外周壁には、前記挿入口の形成位置を示す基準線が表示されていることが好ましい。
【００１６】
この場合には、横引き差し外周壁の基準線に合わせた位置で開孔手段を用いて挿入口を形成することができ、開孔するための位置決め作業が不要になるとともに、挿入口を精度よく形成することができる。例えば、周方向で４５°の角度毎に基準線を設けておくことで、４５°間隔のうち必要な角度に挿入口を設けることができる。
【００１７】
また、本発明に係る雨水マスの施工方法は、前記横引き管は、該横引き管の差し込み端が前記泥溜め部の上端開口縁より径方向の外側に位置するように前記挿入口に差し込まれることが好ましい。
【００１８】
本発明では、差し込まれた横引き管の差し込み端部がマス軸方向で泥溜め部の開口に重なることのない構造とすることが可能となる。これにより、泥溜め部内を清掃するためのバスケット等を差し込まれた横引き管に干渉させずに泥溜め部内に挿入することができる。
【発明の効果】
【００１９】
本発明の雨水マス、及び雨水マスの施工方法によれば、小型化することが可能となり、かつ横引き管の流出入角度を施工現場で自由に設定することができるので、配管の自由度を高めることができ、現場における施工性の向上を図ることができる。
【図面の簡単な説明】
【００２０】
【図１】本発明の第１の実施の形態による住宅に配置される排水構造の概略構成を示す図である。
【図２】図１に示す雨水マスの斜視図である。
【図３】雨水マスの側面図である。
【図４】雨水マスの縦断面図であって、横引き差し外周壁の一部に挿入口が形成された図である。
【図５】図４に示すＡ−Ａ線断面図であって、複数の横引き管が差し込まれた状態の図である。
【図６】図５に示すＢ−Ｂ線断面図であって、挿入口に横引き管が挿入された状態を示す図である。
【図７】雨水マスの側面図であって、マス本体部の横引き差し外周壁に第１基準線が表示された図である。
【図８】雨水マスの側面図であって、マス本体部の横引き差し外周壁に第２基準線が表示された図である。
【図９】雨水マスにおいて穴開け治具を用いて挿入口を形成する状態を示す図である。
【図１０】（ａ）、（ｂ）は雨水の排水管と汚水の排水管の配置状態を示す図である。
【図１１】第２の実施の形態による雨水マスの構成を側方から見た半断面図であって、（ａ）は挿入口を形成する前の状態を示す図、（ｂ）は挿入口を形成した後の状態を示す図である。
【図１２】第３の実施の形態による雨水マスの構成を示す斜視図である。
【図１３】図１２に示す雨水マスを側方から見た半断面図である。
【図１４】図１２に示す雨水マスの縦断面図である。
【図１５】図１２に示す下部材の構成を示す側面図である。
【図１６】図１４に示す雨水マスを上下方向に重ねてスタックした状態の縦断面図である。
【図１７】変形例による雨水マスにおいて上下方向に重ねてスタックした状態の縦断面図であって、図１６に対応する図である。
【図１８】図１３に示す雨水マスの内側に泥溜め用のバケットを配置した状態を示す縦断面図である。
【図１９】第１変形例による雨水マスと、雨水マスに挿入される前のバスケットの構成を示す側面図である。
【図２０】第２変形例による雨水マスの構成を示す水平断面図であって、図５に対応する図である。
【発明を実施するための形態】
【００２１】
以下、本発明による実施の形態の雨水マス、及び雨水マスの施工方法について、図面に基づいて詳細に説明する。
【００２２】
（第１の実施の形態）
図１に示すように、本実施の形態による雨水マス１は、住宅（建物）の竪樋２１に曲管部２３を介して地中に埋設される横引き管４に設けられている。
具体的に本実施の形態の建物の雨水排水としては、屋根の軒先に取り付けられた軒樋２０に流れた雨水を排水管カバー２４を地面付近に備えた竪樋２１に対して、曲管部２３を介して地中に埋設される横引き管４に流入させるように構成されている。そして、横引き管４は雨水マス１に接続され、さらに雨水マス１から横引き管４によって不図示の下水管に排水される。また、室内で発生する排水設備（例えばトイレ３１）の汚水排水は、縦管２５から横引き管２６を介して不図示の合流枡等を経由して下水本管３０に排水される。
【００２３】
図２乃至図４に示すように、雨水マス１は、図５及び図６に示す横引き管４を接続するための差し込み端部４ａ（４ｂ）が内側に差し込まれる挿入口１３が形成可能な筒状の横引き差し外周壁１０ａを有するマス本体部１０と、マス本体部１０の上端に泥の除去等で使用するために地上に向けて延ばされる立上り管１９を接続する立上り管受口１１と、マス本体部１０の下端に設けられた筒状の泥溜め部１２と、を有している。
なお、本実施の形態の雨水マス１は、泥溜め部１２に複数の孔が形成された雨水浸透マスも含む。
【００２４】
雨水マス１の材料として、ポリ塩化ビニル、ポリプロピレン等が挙げられる。例えば、コストの点では、ポリプロピレンが安価に製造することが可能であるが、後述するように立上り管１９の接着ができないので、継手により連結する構造となる。一方、このような立上り管１９の接着を可能とする際にはポリ塩化ビニルが採用される。
【００２５】
ここで本実施形態の雨水マス１では、マス本体部１０、立上り管受口１１、及び泥溜め部１２の各中心軸が共通軸上に配置されている。以下、この共通軸をマス軸Ｏといい、マス軸Ｏ方向に沿う雨水マス１の泥溜め部１２側を下側といい、雨水マス１の立上り管受口１１側を上側という。また、雨水マス１をマス軸Ｏ方向から見た平面視において、マス軸Ｏに直交する方向を径方向といい、マス軸Ｏ回りに周回する方向を周方向という。
【００２６】
マス本体部１０は、横引き差し外周壁１０ａから立上り管受口１１及び泥溜め部１２のそれぞれに接続する連設部１０ｂ、１０ｂを備えている。横引き差し外周壁１０ａは、マス軸Ｏを中心とする円筒状に形成され、外径が３３０ｍｍ以下で、外壁高さが横引き管４の差し込み端部４ａ（４ｂ）の径寸法よりも大きく設定されている。
【００２７】
また、横引き差し外周壁１０ａには、図７及び図８に示すように、挿入口１３の形成位置を示す基準線１５が表示されている。図７に示す第１基準線１５Ａは、横引き差し外周壁１０ａの外面において周方向に延びる線と、周方向に直交する縦方向（上下方向）に延びる複数の線から表示されるものである。図８に示す第２基準線１５Ｂは、周方向に沿って所定角度（例えば４５°）毎に３重の同心円からなる線で表示したものである。
【００２８】
立上り管受口１１は、マス本体部１０に上方から接続される基端部１１Ａと、基端部１１Ａよりも僅かに大径をなす受口本体１１Ｂと、を有し、基端部１１Ａ及び受口本体１１Ｂが同軸に配置されている。受口本体１１Ｂには、立上り管１９が接着（雨水マス１がポリ塩化ビニル製の場合）により接続されている。雨水マス１に接続された立上り管１９は、上端が地上部分まで延び、その上端部には防護ハット（不図示）が外嵌されている。
【００２９】
泥溜め部１２は、マス本体部１０に下方から接続される基端部１２Ａと、基端部１２Ａよりも僅かに大径をなす泥溜め本体１２Ｂと、を有している。泥溜め部１２は、マス本体部１０よりも小径に形成され、泥溜め部１２の外径は１８０ｍｍ以下に設定されている。
【００３０】
このように構成される雨水マス１では、図５に示すように、マス本体部１０の外径が３３０ｍｍであり、泥溜め部１２の外径が１５０ｍｍである場合において、呼び径φ１００（外径１１４ｍｍ）の第１横引き管４Ａ、４Ａ同士の差し込み角度θ１が９０°であり、これら第１横引き管４Ａ、４Ａ同士の間に呼び径φ７５（外径８９ｍｍ）の第２横引き管４Ｂが第１横引き管４Ａに対する差し込み角度θ２が４５°で設けられている。図５において符号Ｃ１、Ｃ２（Ｃ）は第１横引き管４Ａの中心軸であり、これら中心軸Ｃ１、Ｃ２同士の角度θ１が９０°となっている。また、図５において符号Ｃ３（Ｃ）は第２横引き管４Ｂの中心軸であり、第１横引き管４Ａ、４Ａの中心軸Ｃ１、Ｃ２との角度θ２が４５°となっている。第１横引き管４Ａの差し込み端部４ａは、上方からみた平面視で泥溜め部１２の開口外周縁の位置となっている。また、第２横引き管４Ｂの差し込み端部４ｂは、一対の第１横引き管４Ａ、４Ａに当接する位置となり、このときの差し込み長で４０ｍｍを確保されている。
なお、雨水マス１の全長としては３５０ｍｍ以下であることが好ましく、泥溜め部１２の全長としては１５０ｍｍ以上であることが好ましい。
【００３１】
次に、上述した雨水マス１に横引き管４を接続する施工方法と、雨水マス、及び雨水マスの施工方法の作用について図面を用いて詳細に説明する。
本実施の形態では、図１に示すように、雨水マス１を横引き管４に接続する際には、先ず、マス本体部１０の横引き差し外周壁１０ａの任意の位置において、図９に示すように穴開け治具５（開孔手段）を用いて横引き差し外周壁１０ａを貫通させて所定の外径の挿入口１３（図５及び図６参照）を形成する。ここで、穴開け治具５は、回転軸５１の先端にカッター５２を備えた電動式の治具を採用することができる。
【００３２】
図６に示すように、挿入口１３に止水パッキン１４を介して横引き管４をマス本体部１０の内側まで差し込む。具体的に止水パッキン１４は、横引き管４の薄肉の端部４２の外周面４２ａと挿入口１３との間に設けられる。このとき、横引き管４は、横引き管４の差し込み端部４ａ（４ｂ）が泥溜め部１２の上端開口縁より径方向の外側に位置するように挿入口１３に差し込まれる（図５参照）。このように差し込まれた横引き管４の差し込み端部４ａ（４ｂ）がマス軸Ｏ方向で泥溜め部１２の開口に重なることのない構造とすることが可能となる。これにより、泥溜め部１２内を清掃するためのバスケット等を差し込まれた横引き管４に干渉させずに泥溜め部１２内に挿入することができる。
【００３３】
このように構成される雨水マス１では、泥溜め部１２の外径が横引き管４の差し込み端部４ａが差し込まれて挿入されるマス本体部１０の外径よりも小さくなるので、雨水マス１全体の形状を小型にすることができる。つまり、本実施の形態の雨水マス１では、図１０（ａ）に示すように、雨水マス１におけるマス本体部１０の下方で泥溜め部１２の径方向外側にスペースＳが形成されるので、住宅などで雨水用の排水管Ｐ１と室内から生じる汚水用の排水管Ｐ２が別系統で地中に配設される場合に、前記スペースＳに汚水用の排水管Ｐ２を寄せて配置することが可能となる。
そのため、雨水用の排水管Ｐ１と汚水用の排水管Ｐ２との距離Ｌ１を、例えば図１０（ｂ）に示すようなバケツ状のタメマス１Ａを使用した従来の場合における雨水用の排水管Ｐ１と汚水用の排水管Ｐ２の距離Ｌ２に比べて近接させることができ、狭所地の住宅において効率よく配管を設置することができる。
【００３４】
また、本実施の形態では、図６に示すように、マス本体部１０の横引き差し外周壁１０ａの任意の位置に開孔手段（図９に示す穴開け治具５）を用いて所定の外径の挿入口１３を形成することができ、その挿入口１３に止水パッキン１４を介して横引き管４をマス本体部１０の内側まで差し込み接続することができる。このように横引き管４の流出入角度を施工現場で自由に設定することができる。
そのため、横引き管４の流出入角度が決まった位置に横引き管４の受口が設けられた形状の従来の雨水マスのように、横引き管４の流出入角度を調整したり、雨水マスの受口の位置が間違った形状のものを搬入してしまう等の不具合がなくなり、配管の自由度を高めることができ、現場における施工性の向上を図ることができる。
【００３５】
マス本体部１０の横引き差し外周壁１０ａの任意の位置に開孔手段（図９に示す穴開け治具５）を用いて所定の外径の挿入口１３を形成する際、横引き差し外壁１０ａに、各穴径（例えば、５０Ａ、７５Ａ、１００Ａ）に応じたアライメント孔１０ｇ（図１２及び図１３参照）を設けることで、施工現場において穴開け冶具５で穴を開ける際、所望の穴径を所望の位置に形成できる。
なお、アライメント孔１０ｇには、例えば穴径を刻印しておくことで、どのアライメント孔１０ｇが所望の穴径かを一目でわかるようにすることで作業効率を向上させることができる。
また、アライメント孔１０ｇは、穴開け治具５で開けた開孔の中心位置の同一直線上に並んで形成されていることが好ましいが、変位して形成されていてもよい。
【００３６】
しかも、本実施の形態では、横引き管４をマス本体部１０の外径が泥溜め部１２の外径よりも大きく形成され、マス本体部１０内の外周部分に横引き差し外周壁１０ａに差し込まれる横引き管４の差し込み端部４ａ（４ｂ）の差し込み長を確保できる。そのため、横引き管４の差し込みによる接続を確実に行うことができるとともに、差し込まれた横引き管４の差し込み端部４ａ（４ｂ）がマス軸Ｏ方向で泥溜め部１２の開口に重なることのない構造とすることが可能となる。これにより、泥溜め部１２内を清掃するためのバスケット等を差し込まれた横引き管４に干渉させずに泥溜め部１２内に挿入することができる。
【００３７】
また、本実施の形態では、泥溜め部１２の外径を１８０ｍｍ以下の小断面の部材を構成することができ、雨水マス１を確実に小型化することができる。
さらに横引き差し外周壁１０ａは、円筒状に形成され、外径が３３０ｍｍ以下に設定されているので、マス本体部１０の外径を抑えつつ、例えば標準的に用いられる呼び径φ１００（外径１１４ｍｍ）の複数の横引き管４を横引き差し外周壁１０ａに差し込むことが可能な形状となる。
【００３８】
さらにまた、本実施の形態では、図７及び図８に示すように、横引き差し外周壁１０ａの基準線１５（１５Ａ、１５Ｂ）に合わせた位置で開孔手段を用いて挿入口１３（図５参照）を形成することができ、開孔するための位置決め作業が不要になるとともに、挿入口１３を精度よく形成することができる。
【００３９】
このように本実施の形態では、小型化することが可能となり、かつ横引き管４の流出入角度を施工現場で自由に設定することができるので、配管の自由度を高めることができ、現場における施工性の向上を図ることができる。
【００４０】
（第２の実施の形態）
図１１（ａ）、（ｂ）に示す第２の実施の形態の雨水マス１Ａは、上述した第１の実施の形態による図２に示す雨水マス１における立上り管受口１１の基端部１１Ａと、泥溜め部１２の基端部１２Ａとを省略した構造であり、さらにマス本体部１０の位置でマス軸Ｏに沿って上下に二分割にされた２部材（上部材１０Ａ、下部材１０Ｂ）から形成されている。すなわち、雨水マス１Ａは、射出成型によって二部材に形成し、互いに接着剤で接合した構造となっている。
なお、この２部材は、接着剤以外に、各部材の嵌合により接合を維持することも可能である。
【００４１】
図１１（ａ）に示すように、上部材１０Ａは、マス本体部１０の横引き差し外周壁１０ａと上側の連設部１０ｂ、及び立上り管受口１１の受口本体１１Ｂが一体に射出成型された部材である。下部材１０Ｂは、マス本体部１０の下側の連設部１０ｂ、及び泥溜め部１２の泥溜め本体１２Ｂが一体に射出成型された部材である。なお、本実施の形態では、上部材１０Ａ及び下部材１０Ｂのそれぞれの連設部１０ｂがマス軸Ｏ方向に直交する平面を形成しているが、連続部１０ｂに傾斜をつけることも可能である連続部１０ｂに傾斜を設けることで、泥や水が泥溜め部１２に流れ込みやすくなる。
【００４２】
下部材１０Ｂの連設部１０ｂには、その外周縁全周にわたって延在し、上部材１０Ａの下端部１０ｄを接着するための突縁部１０ｅが形成されている。突縁部１０ｅの内周側に上部材１０Ａの下端部１０ｄが嵌合した状態で配置されて接着剤によって接着されている。図１１（ｂ）に示す雨水マス１Ａは、穴開け治具５（図９参照）を用いて横引き差し外周壁１０ａの所定箇所を穿孔して貫通し、所定の外径の挿入口１３が形成されている。
【００４３】
受口本体１１Ｂには、連続部１０ｂと交差する方向に延伸し、ストッパー１０ｆが形成されている。ストッパー１０ｆが形成されていることで、横引き管４を挿入する際、挿入量を制御でき、泥溜め部１２の開口外周縁の位置に横引き管４の差し込み端部４ａが入り込まないようにできる。これにより、泥溜め部１２に溜まった泥を取り出す際、泥溜め部１２の内部に収容されているバケット（後述する）を容易に取り出すことができる。
【００４４】
本第２の実施の形態では、上述したように立上り管受口１１と泥溜め部１２とがそれぞれ基端部１１Ａ，１２Ａ（図２参照）を省略したことにより、雨水マス１Ａの全体形状を小さくすることができる。また、上部材１０Ａと下部材１０Ｂの２部材を一体的に接着することにより製造されるので、各部材を射出成型による製造だけでなく、金型を使用した製造も可能となる。
【００４５】
（第３の実施の形態）
図１２〜図１４に示すように、第３の実施の形態による雨水マス１Ｂは、上述した第２の実施の形態による雨水マス１Ａ（図１１（ａ）、（ｂ）参照）をさらに具体的な構成としたものである。
雨水マス１Ｂは、上下に二分割にされた２部材（上部材６Ａ、下部材６Ｂ）からなり、射出成型等で形成することが可能である。ここで上部材６Ａは、図５に示す横引き管４の差し込み端部４ａ、４ｂが内側に差し込まれる挿入口６０ａ（図１３参照）が形成可能な筒状の横引き差し外周壁６０を有するマス本体部に相当している。上部材６Ａには、上端に立上り管１９（図１４参照）を接続する立上り管受口６１及び横引き差し外周壁６０を連設する上連設部６２と、横引き差し外周壁６０及び下部材６Ｂを連設する下連設部６３と、を有している。
【００４６】
立上り管受口６１は、横引き差し外周壁６０よりも小径の筒体からなる。上連設部６２は、立上り管受口６１の上下方向の中間部と、横引き差し外周壁６０の上端を連設し、周方向に沿って延びるリング状のフランジである。上連設部６２には、上下に突出する複数の補強リブ６４が周方向に間隔をあけて配置されている。補強リブ６４のうち上連設部６２の上側に位置する上補強部６４Ａは、上連設部６２の上面６２ａと立上り管受口６１の外周面６１ａとに接続されている。一方、上連設部６２の下側に位置する下補強部６４Ｂは、上連設部６２の下面６２ｂと立上り管受口６１の外周面６１ａと横引き差し外周壁６０の内周面６０ｃとに接続されている。
【００４７】
成型された上部材６Ａと下部材６Ｂとの２部材を組み合わせる際には、下部材６Ｂに対して雨水マス１Ｂの軸Ｏ方向から荷重をかけて上部材６Ａを挿入することにより雨水マス１Ｂが形成される。このとき、上連設部６２に補強リブ６４が設けられているので、上部材６Ａの横引き差し外周壁６０と上連設部６２とに荷重がかかることによる上連設部６２の変形を防止することができ、応力に対して雨水マス１Ｂの強度を向上させることができる。
なお、補強リブ６４は、設計上、邪魔にならない箇所に形成されていればよく、本第３の実施の形態のように、雨水マス１Ｂの外側の位置に上補強部６４Ａを形成するだけでなく、雨水マス１Ｂの内側の位置に下補強部６４Ｂを形成することができる。
【００４８】
上部材６Ａにおいて、立上り管受口６１における立上り管１９の挿入下端６１ｂの位置は、上部材６Ａの横引き差し外周壁６０の外周上縁部６０ｂの位置よりも下側に位置している。これにより、立上り管１９が雨水マス１Ｂの内側に深く挿入させることができ、雨水マス１Ｂのコンパクト化を図ることができる。
なお、立上り管１９が挿入される挿入下端６１ａの位置は、上述したように外周上縁部６０ｂよりも下の位置で、かつ横引き差し外周壁６０の挿入口６０ａに差し込まれた横引き管４（図５参照）よりも上の位置であればよく、施工時に適宜高さを調整して決定することができる。
【００４９】
下部材６Ｂは、上部材１０Ａの下連設部６３に着脱可能に接続され、上述した筒状の泥溜め部に相当している。下部材６Ｂは、上部材６Ａよりも小径に形成されている。下部材６Ｂは、有底筒状の泥溜め受け部６５と、泥溜め受け部６５の上部から径方向の外側に向けて張り出した装着部６６と、を有している（図１５参照）。装着部６６は、上部材６Ａの下連設部６３に嵌合された状態で接続され、周方向に間隔をあけて複数の補強リブ６７が設けられている。
【００５０】
この場合には、図１６に示すように、上部材６Ａと下部材６Ｂとが組み合わされた状態において、下部材６Ｂの補強リブ６７の下端６７ｂが上部材６Ａの立上り管受口６１の上端部６１ｃに対して上方から載置するように係止させることで、複数の雨水マス１Ｂを上下方向に重ねるようにしてスタックして保管できる。ここで、図１６は、１組の雨水マス１Ｂが重ねてスタックされた状態を示している。このような構成にすることで、保管するためのスペースを小さくすることができ、保管効率を向上させることができる。
【００５１】
また、図１７に示す変形例では、補強リブ６７の下端６７ｂに上部材６Ａの立上り管受口６１の上端部６１ｃが係合される切欠部６７ａが形成されている。すなわち、下部材６Ｂの切欠部６７ａに上部材６Ａの立上り管受口６１の上端部６１ｃを係合させることで、上部材６Ａ及び下部材６Ｂを組み合わせた状態で雨水マス１Ｂを複数、上下方向に重ねるようにしてスタックして保管できる。
さらに他の構成として、下部材６Ｂの周縁部の穴を大きくすることで、上述した切欠部６７ａを省略することも可能であり、この場合には複数を重ね易くなる利点がある。
【００５２】
また、本実施形態では、図１８に示すように、マス本体部６０の内側に上部材６Ａの立上り管受口６１から挿入出可能に設けられた泥溜め用のバケット１６を用いて雨水マス１Ｂ内に溜まる泥を収容することも可能である。バケット１６は、下部材６Ｂの泥溜め受け部６５に収容可能な大きさで、上部材６Ａ内の通過時に上部材６Ａに差し込まれている横引き管４に干渉しない大きさに設定されている。バケット１６には、取り出し時に使用される持ち手１６１が着脱可能に設けられている。バケット１６の内部に溜まった泥を取り出す際には、バケット１６のみを持ち手１６１を持って取り出すことで、効率よく泥を除去できる。そして、バケット１６内の泥を除去した後、そのバケット１６を再び泥溜め部１２に収容することが可能となる。
【００５３】
バケット１６は、例えば、ポリエチレンやポリプロピレンなどのポリオレフィンを用いることができる。この場合、塩化ビニルで構成されている泥溜め部６５より硬度が柔らかいため、泥溜め部６５のサイズに合った大きさで構成することで、バケット１６を泥溜め部６５に挿入した後に、水の浮力でバケット１６が浮くことを防止することができる。
【００５４】
また、バケット１６には、底部上面に細管等の棒状部材を着脱可能に係止する受口部（図示省略）を設けるようにしてもよい。この場合には、バケット１６を泥溜め部６５から取り出す際に、受口部に細管を接続させてから細管を引き上げることで、バケット１６を雨水マス１Ｂから取り出すことができ、清掃にかかる作業を容易に行うことができる。なお、細管は、施工時に適宜長さを調整することができ、細管の上に蓋をすることでバケット１６が細管によって抑え込まれるため、水によりバケット１６が浮上することを防止できる。
【００５５】
以上、本発明による雨水マス、及び雨水マスの施工方法の実施の形態について説明したが、本発明は上記の実施の形態に限定されるものではなく、その趣旨を逸脱しない範囲で適宜変更可能である。
例えば、図１９に示す第１変形例のように、雨水マス１Ｃとして雨水浸透マスを採用することも可能である。この雨水マス１Ｃは、泥溜め部１２の下端１ｂ側の泥溜め本体１２Ｂの周面に多数の小孔１２ａ、１２ａ、…が設けられている。この多数の小孔１２ａより雨水とともに泥が雨水マス１Ｃの外方の地中に流出させることが可能となる。また、雨水マス１Ｃの泥溜め部１２には、ゴミ避け用の取っ手１８付きのバスケット１７が設置される。このバスケット１７には、周面１７ａの上側部分に複数の大孔１７ｃが形成され、下側部分に複数の小孔１７ｄが形成され、下端部分には水抜き孔１７ｅが形成され、雨水マス１Ｃの下部に形成される前記小孔１２ａの詰まりを防ぐことができる。
【００５６】
また、上述した本実施の形態では、マス本体部１０が上方から見た平面視で円形状に形成されているが、このような円形断面に限定されることはない。例えば、図２０に示す第２変形例による雨水マス１Ｄは、マス本体部１０に部分的に直線部１０ｃを有する半円弧断面に形成される構成としてもよい。この場合には、雨水マス１Ｄにおける図２０の左右方向の長さ寸法を小さくできるため、設置する際のスペース効率を向上させることができる。例えば、本第２変形例の雨水マス１Ｄの直線部１０ｃを建物側に寄せて配置することで、雨水用の排水管と建物との距離を小さくすることができ、狭所地の住宅において効率よく配管を設置することができる。
【００５７】
また、本実施の形態では、マス本体部１０の横引き差し外周壁１０ａに挿入口１３の位置の基準となる基準線１５Ａ，１５Ｂを設けているが、この基準線１５Ａ、１５Ｂを省略することも可能であるし、他の表示による基準線を採用することも可能である。
【００５８】
なお、雨水マス１のマス本体部１０や泥溜め部１２の形状、大きさ、材質等の構成は、上述した実施の形態に限定されることはなく、適宜な範囲で設定することができる。例えば、本実施の形態では、マス本体部１０や泥溜め部１２の形状として上面視で円形をなす円筒形状としているが、例えば四角形、六角形等の多角形状や楕円形状等の他の形状のものであってもかまわない。
【００５９】
また、本発明の趣旨を逸脱しない範囲で、上記した実施の形態における構成要素を周知の構成要素に置き換えることは適宜可能である。
【符号の説明】
【００６０】
１、１Ａ、１Ｂ、１Ｃ、１Ｄ  雨水マス
４  横引き管
５  穴開け治具（開孔手段）
６Ａ  上部材
６Ｂ  下部材
１０、６０  マス本体部
１０ａ  横引き差し外周壁
１０ｂ  連設部
１０Ａ  上部材
１０Ｂ  下部材
１１  立上り管受口
１２、６５  泥溜め部
１３  挿入口
１４  止水パッキン
１５、１５Ａ，１５Ｂ  基準線
Ｏ  マス軸
【図１】
2019007339.tif 000003
【図２】
2019007339.tif 000004
【図３】
2019007339.tif 000005
【図４】
2019007339.tif 000006
【図５】
2019007339.tif 000007
【図６】
2019007339.tif 000008
【図７】
2019007339.tif 000009
【図８】
2019007339.tif 000010
【図９】
2019007339.tif 000011
【図１０】
2019007339.tif 000012
【図１１】
2019007339.tif 000013
【図１２】
2019007339.tif 000014
【図１３】
2019007339.tif 000015
【図１４】
2019007339.tif 000016
【図１５】
2019007339.tif 000017
【図１６】
2019007339.tif 000018
【図１７】
2019007339.tif 000019
【図１８】
2019007339.tif 000020
【図１９】
2019007339.tif 000021
【図２０】
2019007339.tif 000022